(57)【要約】      （修正有）【課題】より簡単な設備と工程で、色の濃淡等の変化を高度に現出可能な２軸延伸ブロー成形による合成樹脂製壜体を創出する。【解決手段】試験管状のプリフォーム１を２軸延伸成形した透明性、若しく半透明性を有する合成樹脂製壜体１１において、内周面と外周面の少なくとも一方に壁厚差による凹凸模様を形成したプリフォーム１の２軸延伸ブロー成形により、内周面に、前記凹凸模様１５が延伸されると共に金型キャビティ面に押圧されて形成された延伸凹凸模様１５を有し、この延伸凹凸模様１５による壁厚の変化に係る光学的な視覚効果の変化を利用して周壁を加飾する。【選択図】図１
2010126193.tif 000002
【特許請求の範囲】
【請求項１】
試験管状のプリフォームを２軸延伸成形した透明性、若しく半透明性を有する合成樹脂製壜体であって、内周面と外周面の少なくとも一方に壁厚差による凹凸模様を形成したプリフォーム(1)の２軸延伸ブロー成形により、周壁の内周面に、前記プリフォーム(1)の凹凸模様が延伸されると共に金型キャビティ面に押圧されて形成された延伸凹凸模様(15)を有し、該延伸凹凸模様(15)による壁厚の変化に係る光学的な視覚効果の変化を利用して周壁を加飾したことを特徴とする合成樹脂製壜体。
【請求項２】
下方に向かって中心軸方向に縮径する周段差により凹凸模様を形成したプリフォーム(1)を使用して、内周面に周突条状の凸部による延伸凹凸模様(15)を形成した請求項１記載の合成樹脂製壜体。
【請求項３】
螺旋状突条(7)により凹凸模様を形成したプリフォーム(1)を使用して、内周面に螺旋突条状の凸部による延伸凹凸模様(15)を形成した請求項１記載の合成樹脂製壜体。
【請求項４】
軸方向に縦突条(9) により凹凸模様を形成したプリフォーム(1)を使用して、内周面に縦突条状の延伸凹凸模様(15)を形成した請求項１記載の合成樹脂製壜体。
【請求項５】
外周面に周突条(6)により凹凸模様を形成したプリフォーム(1)を使用して、内周面に周突条状の凸部による延伸凹凸模様(15)を形成した請求項１記載の合成樹脂製壜体。
【請求項６】
外周面に多数の水滴状凸部(8)により凹凸模様形成したプリフォーム(1)を使用して、内周面に水滴凸部状の凸部による延伸凹凸模様(15)を形成した請求項１記載の合成樹脂製壜体。
【発明の詳細な説明】
【技術分野】
【０００１】
本発明は、周壁に形成した凹凸状の模様による光学的な視覚効果の変化を利用して加飾した合成樹脂製壜体に関する。
【背景技術】
【０００２】
合成樹脂製壜体は従来より、種々の用途に使用されているが、特にパーケジングに係る装飾性が商品力の大きな部分を占める化粧料用、シャンプー用等の壜体においては、塗装、印刷、ラベルの貼付等により装飾性を発揮させ、他社製品と差別化するようにしている。
【０００３】
また、壜体自体を着色により装飾する方法も各種試みられており、たとえば、特許文献１には内層樹脂と外層樹脂の間に着色層を間欠的に円筒状に積層したプリフォームを射出成形し、このプリフォームを２軸延伸ブロー成形して着色領域が円環状に展開した壜体に係る記載がある。
【特許文献１】特開平２−８９４０９号公報
【発明の開示】
【発明が解決しようとする課題】
【０００４】
しかしながら、上記した従来技術の加飾方法では、内層樹脂と外層樹脂の間に着色層を間欠的に円筒状に積層したプリフォームを射出成形して使用する必要があり、成形設備及び工程管理が複雑となる。
【０００５】
本発明は、より簡単な設備と工程で、色の濃淡等の変化を高度に現出可能な２軸延伸ブロー成形による合成樹脂製壜体を創出することを課題するものである。
【課題を解決するための手段】
【０００６】
上記課題を解決する手段のうち、本発明の壜体に主たる構成は、
試験管状のプリフォームを２軸延伸成形した透明性、若しくは半透明性を有する合成脂製壜体において、
内周面と外周面の少なくとも一方に壁厚差による凹凸模様を形成したプリフォームの２軸延伸ブロー成形により、内周面に、前記凹凸模様が延伸されると共に金型キャビティ面に押圧されて形成された延伸凹凸模様を有し、
この延伸凹凸模様による壁厚の変化に係る光学的な視覚効果の変化を利用して周壁を加飾する、
と云うものである。
【０００７】
上記構成の壜体で、内周面に壁厚差による凹凸模様を形成したプリフォームを使用して、成形される壜体の内周面に延伸凹凸模様を形成することは比較的容易に達成することができる。
【０００８】
一方、外周面に凹凸模様を形成したプリフォームを使用する場合にも、２軸延伸ブロー成形の過程で、この凹凸模様は加熱軟化した状態で延伸変形すると共に、金型キャビティ面に押圧されることにより塑性変形し、その結果、凹凸模様と相似形状に、壜体の内周面に延伸凹凸模様を形成することができる。
そして、プリフォームの成形後の金型からの型抜き工程を考慮すると、プリフォームの周壁の内周面に比較して、外周面には比較的自由な形状で凹凸模様を形成することができ、壜体の内周面により多様な延伸凹凸模様が形成することができる。
【０００９】
ここで、上記構成の壜体では、延伸凹凸模様は内周面に形成され、外周面はブロー成形用金型のキャビティ面によって平坦に成形されるので、通常の壜体と同様に外周面に容易に、印刷したり、ラベルを貼付したりすることができる。
【００１０】
そして、上記のよう周壁の内周面に延伸凹凸模様が形成されると、この延伸凹凸模様による壁厚の変化に係る光学的な視覚効果の変化を利用して胴部を加飾することができる。
壜体が無色透明の場合には延伸凹凸模様による壁厚の変化により、光の屈折あるいは光の散乱の態様が変化して加飾効果を現出させることができ、着色透明の場合にはさらに着色濃度の変化を現出させることができる。
また、壜体は半透明であってもよく、たとえばパール状の光学的な視覚効果を発揮するフィラーを分散させることにより延伸凹凸模様に沿って光の散乱が変化して今までにない加飾効果を現出させることができる。
【００１１】
また、プリフォームの周壁に形成する凹凸模様が単純な模様であっても、この凹凸模様が２軸延伸ブロー工程で延伸され、さらに壜体の部分によって縦横の延伸倍率がそれぞれ微妙に変化しているので、延伸凹凸模様における壁厚の変化はプリフォームの凹凸模様に比較して、より変化に富んだものとなっており、たとえば着色濃度が緩やかにグラデーション状に変化するような加飾効果も発揮させることが可能となる。
【００１２】
また、上記本発明の主たる構成の壜体では、使用するプリフォームの射出成形後の型抜きを考慮しながら外周面、内周面、あるいは双方にさまざまな形状の凹凸模様を形成したプリフォームを使用することができる。
【発明の効果】
【００１３】
本発明は上記した構成となっているので、以下に示す効果を奏する。
本発明の主たる構成を有する壜体にあっては、
胴部の周壁の内周面に形成される延伸凹凸模様による壁厚変化に係る光学的な視覚効果の変化を利用して胴部を加飾することができる。
【００１４】
使用するプリフォームの射出成形後の型抜きを考慮しながら外周面、内周面、あるいは双方にさまざまな形状の凹凸模様を形成したプリフォームを使用することができ、また２軸延伸過程でこの凹凸模様を縦横に延伸することにより、さまざまな態様で延伸凹凸模様を形成し、さらには着色、フィラーの分散等を組み合わせることにより、多様に光学的な視覚効果を変化させて、今までにない多様な加飾効果を現出させることができる。
【００１５】
また、プリフォームに形成されている凹凸模様が２軸延伸過程で延伸され、壜体の部分によって縦横の延伸倍率がそれぞれ微妙に変化しているので、延伸凹凸模様の壁厚分布は凹凸模様に比較して、より変化に富んだものとなり、たとえば着色の濃度が緩やかにグラデーション状に変化するような加飾効果も発揮させることができる。
【発明を実施するための最良の形態】
【００１６】
以下、本発明の実施形態を、実施例（第１実施例〜第８実施例）に沿って図面を参照しながら説明する。
図１は、本発明の合成樹脂製壜体の第１実施例の正面図、図２はこの壜体を２軸延伸ブロー成形するのに使用するプリフォームの正面図であり、図１の壜体１１は口筒部１２、円筒状の胴部１３、底部１４を有する。（なお、図１中には図２のプリフォーム１を二点鎖線で示している。）
【００１７】
図２のプリフォーム１はポリエチレンテレフタレート（ＰＥＴ）樹脂製の射出成形品で、口筒部２の下端から有底円筒部３を垂下延設した試験管状である。
そして、有底円筒部３の外周面に下方に向かって中心軸方向に縮径すると共に、周方向でその段差の形成高さ位置が波状に連続的に上下に変動する周段差５ａにより凹凸模様を形成している。
なお、この周段差５ａは外周面に下方に向かって中心軸方向に縮径するように形成しており、射出成形後の型抜きは容易に実施することができる。
【００１８】
そして、図２のプリフォーム１を使用して２軸延伸ブロー成形すると、プリフォーム１の外周面に形成されている周段差５ａによる凹凸模様は縦横方向に延伸されながら、ブロー成形金型のキャビティ面に押付けられ、塑性変形し、その結果凹凸模様と相似形状に、図１の壜体１１の胴部１３の内周面に延伸凹凸模様１５が形成される。
【００１９】
この延伸凹凸模様１５は、壜体１１の胴部１３の内周面に、周段差というよりは周突条状の凸部により形成されており、また波状の模様が大きく拡大して現出している。
【００２０】
そして、壜体１１が無色透明の場合にはこの延伸凹凸模様による壁厚の変化により、光の屈折あるいは光の散乱の態様が変化して加飾効果を現出させることができる。
また、着色透明の場合にはさらに着色濃度の変化を現出させることができる。
また、パール状の光学的な効果を発揮するフィラーを分散させることにより延伸凹凸模様に沿って光の散乱が変化して今までにない加飾効果を現出させることができる。
【００２１】
ここで、胴部１３の周壁の延伸倍率は場所によって微妙に変化しているので、延伸凹凸模様１５の壁厚も全体的に微妙に変化し、その結果、光学的な視覚効果に係る変化を全体として揺らぐように、さらにはグラデーション状に現出させることができる。
【００２２】
次に、本発明の壜体の第２実施例〜第８実施例について、使用するプリフォームと共に順次説明する。
【００２３】
図３は本発明の壜体の第２実施例を示すもので、図４のプリフォームを２軸延伸ブロー成形したものである。
図４のプリフォーム１の有底円筒部３の外周面と内周面の双方に下方に向かって中心軸方向に縮径すると共に、周方向でその段差の形成高さ位置が波状に連続的に上下に変動する周段差５ａ、５ｂを、外周面の周段差５ａと、内周面の周段差５ｂの高さ位置を少しずらすようにして形成し、凹凸模様を形成している。
なお、これらの周段差５ａ、５ｂはいずれも下方に向かって中心軸方向に縮径するように形成しており、射出成形後の型抜きは容易に実施することができる。
【００２４】
そして、このプリフォーム１を２軸延伸ブロー成形した図３の壜体１１の胴部１３の内周面には、プリフォーム１の周段差５ａ、５ｂによる凹凸模様と相似形状に、周突条状の凸部により延伸凹凸模様１５が形成されている。
ここで、本実施例ではプリフォーム１の外周面の周段差５ａと内周面の周段差５ｂを並行状に形成するようにしたが、たとえばクロス状にする等、外周面と内周面の凹凸模様をさまざまな態様で組み合わせることにより、壜体１１で多様な視覚効果を現出させることができる。
【００２５】
図５は本発明の壜体の第３実施例を示すもので、図６のプリフォームを２軸延伸ブロー成形したものである。
図６のプリフォーム１は図２のプリフォームとは逆に、有底円筒部３の内周面に下方に向かって中心軸方向に縮径すると共に、周方向でその段差の形成高さ位置が波状に連続的に上下に変動する周段差５ｂにより凹凸模様を形成している。
なお、このプリフォーム１では周段差５ｂが内周面に形成されているが、下方に向かって中心軸方向に縮径するように形成しており、射出成形後の型抜きは容易に実施することができる。
【００２６】
そして、このプリフォーム１を２軸延伸ブロー成形した図５の壜体１１の胴部１３の内周面には、プリフォーム１の周段差５ｂによる凹凸模様と相似形状に、周突条状の凸部により延伸凹凸模様１５が形成されている。
図１に示される第１実施例の壜体と比較すると、本実施例では元々内周面に凹凸模様を形成したプリフォームを使用しているので、延伸凹凸模様がよりシャープに形成され、光学的な視覚効果もよりシャープに現出される。
【００２７】
図７は本発明の壜体の第４実施例を示すもので、図８のプリフォームを２軸延伸ブロー成形したものである。
図８のプリフォーム１は有底円筒部３の外周面に周方向でその段差の形成高さ位置が波状に連続的に上下に変動する周突条６により凹凸模様を形成している。
なお、このプリフォーム１はキャビティ金型を割金型とすることにより、射出成形後の型抜きは容易に実施することができる。
プリフォームの内周面にこのような凹凸模様を形成することは、成形後の型抜きを考慮すると困難である。
【００２８】
そして、このプリフォーム１を２軸延伸ブロー成形した図７の壜体１１の胴部１３の内周面には、プリフォーム１の周突条６による凹凸模様と相似形状に、周突条状の凸部により延伸凹凸模様１５が形成されている。
【００２９】
図９は本発明の壜体の第５実施例を示すもので、図１０のプリフォームを２軸延伸ブロー成形したものである。
図１０のプリフォーム１は有底円筒部３の外周面に螺旋状突条７により凹凸模様を形成している。
なお、このプリフォーム１はキャビティ金型に対して成形品を回動させながら射出成形後の型抜きを容易に実施することができる。
【００３０】
そして、このプリフォーム１を２軸延伸ブロー成形した図９の壜体１１の肩部から胴部１３にかけての内周面には、プリフォーム１の螺旋状の突条７による凹凸模様と相似形状に、螺旋突条状の凸部により延伸凹凸模様１５が形成されている。
【００３１】
図１１は本発明の壜体の第６実施例を示すもので、図１２のプリフォームを２軸延伸ブロー成形したものである。
図１２のプリフォーム１は有底円筒部３の外周面に、多数の水滴状凸部８により凹凸模様を形成している。
なお、このプリフォーム１はキャビティ金型を割金型とすることにより、射出成形後の型抜きは容易に実施することができる。
プリフォームの内周面にこのような凹凸模様を形成することは、成形後の型抜きを考慮すると困難である。
【００３２】
そして、このプリフォーム１を２軸延伸ブロー成形した図１１の壜体１１の胴部１３の内周面には、プリフォーム１の水滴状凸部８による凹凸模様と相似形状に多数の水滴状の凸部により延伸凹凸模様１５が形成されている。
なお、本実施例のプリフォーム１は多数の水滴状凸部８により凹凸模様を形成したものであるが、それぞれの凸部の形状は水滴状に限定されるものではなく、さまざまな形状の凸部を採用することができる。
【００３３】
図１３は本発明の壜体の第７実施例を示すもので、図１４のプリフォームを２軸延伸ブロー成形したものである。
図１４のプリフォーム１は有底円筒部３の外周面に８ケの縦突条９を、その先端部の高さ位置を変動するように形成し、凹凸模様を形成している。
なお、このプリフォーム１の射出成形後の型抜きは容易に実施することができる。また、このような縦突条は、プリフォームの内周面にも形成することも可能であり、成形後の型抜きも容易である。
【００３４】
そして、このプリフォーム１を２軸延伸ブロー成形した図１３の壜体１１の胴部１３の内周面には、プリフォーム１の縦突条９による凹凸模様と相似形状に、縦突条状の凸部により延伸凹凸模様１５が形成されている。
【００３５】
図１５は本発明の壜体の第８実施例を示すもので、図１６のプリフォームを２軸延伸ブロー成形したものである。
図１６のプリフォーム１は、図１４のプリフォームと同様に有底円筒部３の外周面に多数の縦突条９を、その先端部の高さ位置を変動するように形成し、凹凸模様を形成したものであるが、図１６のプリフォーム１では、図１４（ｂ）と１６（ｂ）の平断面図を比較すると分かるように、それぞれの縦突条９の断面形状の大きさが異なり、また全体として緩やかな山状としているのが特徴的である。
【００３６】
そして、このプリフォーム１を２軸延伸ブロー成形した図１５の壜体１１の胴部１３の内周面には、プリフォーム１の縦突条９による凹凸模様と相似形状に、多数の縦突条状の凸部により延伸凹凸模様１５が形成されている。
ここで、図１３（ｂ）と図１５（ｂ）の平断面図を比較すると分かるように、本実施例の壜体１では、延伸凹凸模様１５の壁厚が全体として緩やかに、また不規則状に変化しており、これにより光学的な視覚効果に係る変化が、緩やかにそして不規則に現出するようにしている。
【００３７】
以上、実施例に沿って本発明の構成とその作用効果について説明したが、本発明の実施の形態は上記実施例に限定されるものではない。
使用するプリフォームに形成される凹凸模様の形状は、射出成形後の型抜きを考慮しながら、上記実施例の他にもさまざまな態様のものを採用することができ、さらには外周面と内周面の凹凸模様を組み合わせることもできる。
また、上記実施例では円筒状の胴部を有する丸形ボトルとしたが、勿論角形ボトルとすることもできる。
また、本発明の壜体はＰＥＴ樹脂製のように透明性を有するものに限定されず、たとえばポリプロピレン樹脂製のように半透明性を有するものとすることもできる。
【産業上の利用可能性】
【００３８】
以上、説明したように本発明の壜体は２軸延伸ブロー工程を利用して内周面に形成した延伸凹凸模様に係る光学的な視覚効果により加飾するものであり、化粧料用等の容器として幅広い用途展開が期待される。
【図面の簡単な説明】
【００３９】
【図１】本発明の合成樹脂製壜体の第１実施例を示す正面図である。
【図２】図１の壜体の成形に使用するプリフォームの正面図である。
【図３】本発明の合成樹脂製壜体の第２実施例を示す正面図である。
【図４】図３の壜体の成形に使用するプリフォームの正面図である。
【図５】本発明の合成樹脂製壜体の第３実施例を示す正面図である。
【図６】図５の壜体の成形に使用するプリフォームの正面図である。
【図７】本発明の合成樹脂製壜体の第４実施例を示す正面図である。
【図８】図７の壜体の成形に使用するプリフォームの正面図である。
【図９】本発明の合成樹脂製壜体の第５実施例を示す正面図である。
【図１０】図９の壜体の成形に使用するプリフォームの正面図である。
【図１１】本発明の合成樹脂製壜体の第６実施例を示す正面図である。
【図１２】図１１の壜体の成形に使用するプリフォームの正面図である。
【図１３】本発明の合成樹脂製壜体の第７実施例を示す（ａ）は正面図、（ｂ）は（ａ）中のＡ−Ａ線に沿う平断面図である。
【図１４】図１３の壜体の成形に使用するプリフォームの（ａ）は正面図、（ｂ）は（ａ）中のＢ−Ｂ線に沿う平断面図である。
【図１５】本発明の合成樹脂製壜体の第８実施例を示す（ａ）は正面図、（ｂ）は（ａ）中のＣ−Ｃ線に沿う平断面図である。
【図１６】図１５の壜体の成形に使用するプリフォームの（ａ）は正面図、（ｂ）は（ａ）中のＤ−Ｄ線に沿う平断面図である。である。
【符号の説明】
【００４０】
１  ；プリフォーム
２  ；口筒部
３  ；有底円筒部
５ａ、５ｂ；周段差
６  ；周突条
７  ；螺旋状突条
８  ；水滴状凸部
９  ；縦突条
１１；壜体
１２；口筒部
１３；胴部
１４；底部
１５；延伸凹凸模様
【図１】
2010126193.tif 000003
【図２】
2010126193.tif 000004
【図３】
2010126193.tif 000005
【図４】
2010126193.tif 000006
【図５】
2010126193.tif 000007
【図６】
2010126193.tif 000008
【図７】
2010126193.tif 000009
【図８】
2010126193.tif 000010
【図９】
2010126193.tif 000011
【図１０】
2010126193.tif 000012
【図１１】
2010126193.tif 000013
【図１２】
2010126193.tif 000014
【図１３】
2010126193.tif 000015
【図１４】
2010126193.tif 000016
【図１５】
2010126193.tif 000017
【図１６】
2010126193.tif 000018